(57)【要約】【課題】防水性に優れ、また、外観上の違和感がないこと。【解決手段】電磁石本体１と、この電磁石本体１に吸着可能な金属板２とから成り、電磁石本体１の長手方向の４面の両端部にそれぞれ形成された第１取付け孔３及び第２取付け孔４に接続部を介してカバー部分をそれぞれ設け、これらのカバー部分は、戸枠または開閉体のいずれかに電磁石本体１を複数本の固着具を用いて固着する際、第１取付け孔３に固着具５を挿入する場合には、第１取付け孔３側のカバー部分２２のみが打ち抜き手段によって取り除かれ、一方、第２取付け孔４に固着具５を挿入する場合には、第２取付け孔４側のカバー部分２５のみが打ち抜き手段によって取り除かれる建具用電磁石錠。【選択図】図４
2008179963.tif 000002
【特許請求の範囲】
【請求項１】
四角柱形状の電磁石本体１と、この電磁石本体１の吸着正面に面接触状態に吸着可能な金属板２とから成る建具用電磁石錠Ｘであって、前記電磁石本体１の隣同士が互いに直交する長手方向の４面の両端部にそれぞれ形成された第１取付け孔３及び第２取付け孔４に接続部を介してカバー部分をそれぞれ設け、これらのカバー部分は、戸枠または開閉体のいずれかに前記電磁石本体１を複数本の固着具を用いて固着する際、前記第１取付け孔３に固着具５を挿入する場合には、第１取付け孔３側のカバー部分２２のみが打ち抜き手段によって取り除かれ、一方、前記第２取付け孔４に固着具５を挿入する場合には、第２取付け孔４側のカバー部分２５のみが打ち抜き手段によって取り除かれることを特徴とする建具用電磁石錠。
【請求項２】
請求項１に於いて、カバー部分は、周方向に形成された複数個の弧状方向の切欠部分と接続部分を介して、少なくとも吸着正面、平面及び底面にそれぞれ設けられていることを特徴とする建具用電磁石錠。
【請求項３】
請求項１に於いて、カバー部分は、周方向に形成された環状溝を介して、少なくとも吸着正面、平面及び底面にそれぞれ設けられていることを特徴とする建具用電磁石錠。
【発明の詳細な説明】
【技術分野】
【０００１】
本発明は、建具用電磁石錠に関し、特に回転式扉と引戸の両方に使用することができる建具用電磁石錠に関する。
【背景技術】
【０００２】
建具用電磁石錠の一例に関しては、図１に記載のものが存在する。この建具用電磁石錠Ｘは、マグナロック（セキュリトロン社の登録商標）で、業界では、「電磁石錠」とか、「電磁式電気錠」と称されている。特に、図示しないが、この電磁石錠Ｘは、電源、トランス、入力装置、制御部、錠前、扉、引戸等の開閉体用の操作部材と組み合わせ、建具用の開閉体を施・解錠するために利用される。
【０００３】
この種の電磁石錠は、教育施設での門扉の施・解錠、空港やレジヤー施設の出入り口の門扉の施・解錠、マンションやオフィスの共用玄関扉の施・解錠等に電気錠システムとして使用されている。
【０００４】
付言すると、特許文献１には、図１と共に電気錠システムに利用される電磁石錠の一例が記載されている。すなわち、段落０００５には、「戸当たり部分に電磁石錠を固定し、一方、引戸の戸先に前記電磁石錠の電磁力、吸着力により、該電磁石錠の磁極外面に吸着する受け金具を引戸に取付ける旨」が記載され、示唆されている。
【０００５】
そこで、図１乃至図３を参照にして、電磁石錠Ｘの構成とその使用態様を説明する。電磁石錠（マグナロック）Ｘは、図１で示すように、四角柱形状の電磁石本体１と、この電磁石本体１の磁極外面に面接触状態に吸着可能な金属板２とから成る。
【０００６】
したがって、電磁石本体１は六面体の角柱であり、一方、金属板２は電磁石本体１が励磁すると、六面体中の磁極外面に吸着する材質で成形された長板である。ここでは、電磁石本体１の内部構造の詳細な説明は割愛するが、電磁石本体１のケースの内部は、例えば可動鉄心と固定鉄心が双方ともＥ形等の磁性鋼板で積層されてなるとともに、その中央脚および両側脚の先端の磁極面が互いに対向配置され、可動鉄心と固定鉄心の双方の中央脚がコイルの巻回された巻枠の内腔に嵌挿され、可動鉄心と固定鉄心がコイルを励磁したときに互いに吸着し、一方、コイルを励磁しないときに互いに開離する。
【０００７】
そして、電磁石本体１の長手方向の一側面１ａ（例えば３枚の帯状シール模様が見える目印面）が吸着外面となる。ここでは、説明の便宜上、図１を基準にして、電磁石本体１の六面にそれぞれ符号を付する。すなわち、１ａは吸着正面、１ｂは取付け背面、１ｃは左側面、１ｄは右側面、１ｅは平面、１ｆは底面である。
【０００８】
しかして、３は前記吸着正面１ａの左右端部にそれぞれ形成された第１取付け孔で、例えば左側の上下に２個、右側の上下に２個それぞれ貫通状態に形成されている。これらの第１取付け孔３は、吸着正面１ａ側が比較的大きい口径であり、途中部位の内周面がすり鉢状或いは弧状であり、さらに、取付け背面１ｂ側がやや小さな口径である。
【０００９】
一方、４は平面１ｅの左右端部にそれぞれ形成された第２取付け孔で、例えば左側の前後に２個、右側の前後に２個それぞれ貫通状態に形成されている。これらの第２取付け孔４も、平面（上面）１ｅ側が大きい口径であり、途中部位の内周面がすり鉢状或いは弧状であり、さらに、底面１ｆ側も大きい口径である。つまり、取付け背面１ｂ側を除き、他の側面の取付け孔は、皆、比較的大きい口径である。
【００１０】
第１取付け孔３と第２取付け孔４の口径や内部の形状は特に問うものではないが、上記のように、電磁石本体１は、互いに直交する長手方向の４面１ａ、１ｅ、１ｂ、１ｆの左右端部に、固着具５用の第１取付け孔３及び第２取付け孔４をそれぞれ有し、互いに直交する各取付け孔３、４は、内部でそれぞれ連通している。
【００１１】
したがって、建具としての戸枠又は開閉体のいずれかに左右一対の複数個の固着具５を介して電磁石本体１を固着する場合には、「第１取付け孔３か又は第２取付け孔４か」、いずれか一方だけを用いることができる。なお、電磁石本体１の右側面１ｄの中央部には筒状突起部分６があり、この突起部分６からリード線７が外部へと導かれている。
【００１２】
図２は電磁石錠Ｘを回転式扉Ｄに適用した場合であり、一方、図３は電磁石錠Ｘを引戸Ｄ１に適用した場合である。図２及び図３に於いて、１０は扉Ｄ、引戸Ｄ１等の開閉体用の開口である。したがって、１１は開口１０を形成する戸枠である。
【００１３】
図２で示すように、電磁石錠Ｘを回転式扉Ｄに適用する場合には、例えば金属板２を扉Ｄの内面上部に不番の固着具を介して水平状態に固定し、一方、この戸枠１１の内側の前記金属板２と対向する位置に電磁石本体１を固定的に配設する。この場合、例えば図２の（ｂ）で示すように、戸枠１１の水平方向の戸枠部分１１ａに形成した断面Ｌ形状の切欠部１２の直交内面に電磁石本体１の取付け背面１ｂと平面１ｅを密着させた状態にし、かつ、前述したように「第１取付け孔３か又は第２取付け孔４か」、いずれか一方だけを利用して、電磁石本体１を戸枠１１の内側に取り付ける。
【００１４】
付言すると、今仮に、図２の（ｂ）で示すように、水平方向の第１取付け孔３に固着具５を挿入して（第１取付け孔３を利用）して電磁石本体１を戸枠１１に装着した場合には、垂直方向の第２取付け孔４に対する固着具５は不要となることから、電磁石本体１の底面１ｆの複数個の取付け孔４は露呈する（外観上見える）。
【００１５】
また、図３で示すように、電磁石錠Ｘを引戸Ｄ１に適用する場合には、例えば金属板２を引戸Ｄ１の戸先に垂直状態に固定し、一方、この戸枠１１の垂直方向の戸枠部分１１ｂの適宜部位に前記金属板２と対向するように電磁石本体１を固定的に配設する。この場合、例えば図３の（ｂ）で示すように、戸枠１１の垂直方向の戸枠部分１１ｂに形成した凹所形状の切欠部１３の直交内面に電磁石本体１の取付け背面１ｂ、上下に位置する側面１ｃ、１ｄを密着させた状態にし、かつ、前述したように「第１取付け孔３か又は第２取付け孔４か」、いずれか一方だけを利用して、電磁石本体１を戸枠１１の内側に取り付ける。
【００１６】
付言すると、今仮に、図３の（ｂ）で示すように、第２取付け孔４に固着具５を挿入して（第２取付け孔４を利用）して電磁石本体１を戸枠１１に装着した場合には、第１取付け孔３に対する固着具５は不要となることから、電磁石本体１の吸着正面１ａの複数個の取付け孔３は露呈する（外観上見える）。
【００１７】
このように、電磁石錠Ｘは、電磁石本体１と金属板２を組み合わせて回転式扉Ｄ又は引戸Ｄ１の両方に適用することができるという利点があるものの、電磁石本体１の取付け用に用いない方の取付け孔が露呈する。
【００１８】
その結果、教育施設での門扉の施・解錠、空港やレジヤー施設の出入り口の門扉の施・解錠等に電磁石本体１を使用する場合には、露呈している取付け孔から雨が入り込み、固着具が錆びるという問題点があった。
【００１９】
また、マンションやオフィスの共用玄関扉の施・解錠等に電気錠システムとして使用されている場合にも外観上、使用しない取付け孔３の孔が目立つので、美観上好ましくないという問題点もあった。特に、電磁石本体１は比較的重いので、各取付け孔３、４の口径が多きく、外観上、非常に目立つ。
【特許文献１】特許公開２００４−２４５０４１号公報
【発明の開示】
【発明が解決しようとする課題】
【００２０】
本発明の所期の目的は、回転式扉または引戸のいずれにでも使用することができると共に、電磁石本体を屋外（例えば門扉）に使用する場合には、防水性に優れていることである。一方、電磁石本体を屋内への出入り口（例えばマンションやオフィスの共用玄関扉）に使用する場合には、意匠上、いわゆる違和感がないことである。また、本発明の第２の目的は、回転式扉、引戸等の建具の仕様に対応して、電磁石本体の所望する取付け孔用のカバー部分のみを簡単に取り除くことができることである。
【課題を解決するための手段】
【００２１】
本発明の建具用電磁石錠は、四角柱形状の電磁石本体１と、この電磁石本体１の吸着正面に面接触状態に吸着可能な金属板２とから成る建具用電磁石錠Ｘであって、前記電磁石本体１の隣同士が互いに直交する長手方向の４面の両端部にそれぞれ形成された第１取付け孔３及び第２取付け孔４に接続部を介してカバー部分をそれぞれ設け、これらのカバー部分は、戸枠または開閉体のいずれかに前記電磁石本体１を複数本の固着具を用いて固着する際、前記第１取付け孔３に固着具５を挿入する場合には、第１取付け孔３側のカバー部分２２のみが打ち抜き手段によって取り除かれ、一方、前記第２取付け孔４に固着具５を挿入する場合には、第２取付け孔４側のカバー部分２５のみが打ち抜き手段によって取り除かれることを特徴とする。
【発明の効果】
【００２２】
（１）建具の仕様に対応して電磁石本体の所望する取付け孔用のカバー部分のみを取り外すことができるから、電磁石本体を屋外（例えば門扉）に使用する場合には、防水性に優れている。一方、電磁石本体を屋内への出入り口（例えばマンションやオフィスの共用玄関扉）に使用する場合には、意匠上、電磁石本体の外部から取付け孔が全く見えないので、いわゆる違和感がない。
（２）所望する取付け孔のカバーを取り外すとき、ドライバー、ペンチ等の打ち抜き手段を用いて簡単に取り除くことができる。
【発明を実施するための最良の形態】
【００２３】
ここでは、図４乃至図９に示す本発明の最良の形態（第１実施例）により説明する。なお、本発明の各実施例の説明に当たって、従来の実施例と同一の部分には同一の符号を付して重複する説明を省略する。
【００２４】
（１）発明の実施の環境
図４は、図１と同様の斜視図である。第１実施例に記載の電磁石錠Ｘ１と従来の電磁石錠Ｘとの違いは、「第１取付け孔３及び第２取付け孔４」のいずれもが薄い円形のカバー部分により閉鎖されている点である。図５は本発明の主要部を拡大した概略説明図、図６は図５の６−６線概略断面図、図７は図５の７−７線概略断面図である。
【００２５】
これらの図から明らかなように、固着具５を挿入用の第１取付け孔３及び第２取付け孔４は、それぞれ単数又は複数の接続部を介してカバー部分２１、２５により閉ざされている。本実施例では取付け背面の取付け小孔を除き、その余のやや大きい口径の取付け孔にカバー部分が存在する。
【００２６】
すなわち、図５、図６を基準にすると、符号２１は吸着正面１ａの第１取付け孔３を塞ぐ第１カバー部分で、この第１カバー部分２１は、周方向に形成された合計４本の弧状切欠部２２及びこれらの弧状切欠部２２の間にそれぞれ存在する合計４個の短い接続部２３を介して吸着正面１ａと略同一の面上に位置している。
【００２７】
一方、図５、図７を基準にすると、符号２５は平面（及び底面１ｆ）１ｅの第２取付け孔４をそれぞれ塞ぐ第２カバー部分で、この第２カバー部分２５も、周方向に形成された合計４本の弧状切欠部２６及びこれらの弧状切欠部２６の間にそれぞれ存在する合計４個の短い接続部２７を介して平面（並びに底面１ｆ）１ｅとそれぞれ略同一の面上に位置している。
【００２８】
したがって、例えば長手方向の４面の各両端部にそれぞれ同一口径の孔が形成されている場合に於いて、仮に全部の固着具用の孔を薄いカバー部分で閉じる実施例の場合には、全て同一構成にすることができる。
【００２９】
（２）所望するカバー部分を取り除く場合
図８はカバー部分を取り除く一例を示す概略説明図、また、図９はカバー部分が取り除かれる概略説明図である。今仮に、第２取付け孔４を利用して電磁石本体１を建具に取付けたい場合には、図８で示すように、ドライバー、ペンチ等の打ち抜き手段２９で所望する第２カバー２５の上面を叩く。そうすると、短い接続部２６が切れて第２カバー２５が平面（上面）１ｅから外れる。そこで、平面１ｅから第２取付け孔４の内部に落ち込んだ第２カバー２５を、ピンセットを用い又は用いないで適宜に取り除く。この場合第１カバー２１はそのままの状態にしておく。
【実施例】
【００３０】
発明の実施の形態で示した第１実施例に於いて、カバー部分２１、２５は、周方向に形成された複数個の弧状の切欠部分と接続部分を介して、少なくとも吸着正面、平面及び底面にそれぞれ設けられているが、前記切欠部分と接続部分の構成は、任意に設計変更することは可能である。例えば取付け孔の口径に対応して周方向にミシン目を入れる構成も実質的に「切欠部分と接続部分」の構成に含まれる。
【００３１】
また、図１０乃至図１２に示す第２実施例のように、切欠部分と接続部分の構成を一側面又は両側面（第２実施例）に形成した環状溝３１にすることもできる。要は、カバー部分２１、２５をドライバー、ペンチ等の打ち抜き手段２９を用いて取り除くことができれば良い。
【産業上の利用可能性】
【００３２】
本発明は、主に錠前や建具の業界で利用される。
【図面の簡単な説明】
【００３３】
図１乃至図３は従来の実施例を示す各説明図、図４乃至図９は本発明の最良の実施例（第１実施例）を示す各説明図。図１０乃至図１２は本発明の最良の第２実施例を示す各説明図。
【図１】従来の電磁石錠Ｘの斜視図。
【図２】図２の（ａ）と（ｂ）は、電磁石錠Ｘを回転式扉に使用した場合の説明図。
【図３】図３の（ａ）と（ｂ）は、電磁石錠Ｘを引戸に使用した場合の説明図。
【図４】本発明の第１実施例（電磁石錠Ｘ１）の斜視図。
【図５】主要部の拡大説明図。
【図６】図５の６−６線概略断面図。
【図７】図５の７−７線概略断面図。
【図８】所望するカバー部分を打ち抜く場合の概略説明図。
【図９】カバー部分が外れる旨の概略説明図。
【図１０】本発明の第２実施例の主要部の拡大説明図。
【図１１】図１０の１１−１１線概略断面図。
【図１２】図１０の１２−１２線概略断面図。
【符号の説明】
【００３４】
Ｘ、Ｘ１…建具用電磁石錠、Ｄ…回転式扉、Ｄ１…引戸、１…電磁石本体、１ａ…吸着正面、１ｂ…取付け背面、１ｃ…左側面、１ｄ…右側面、１ｅ…平面、１ｆ…底面、２…金属板、３…第１取付け孔、４…第２取付け孔、５…固着具、６…筒状突起部分、７…リード線、１０…開閉体用の開口、１１…戸枠、１１ａ…水平方向の戸枠部分、１１ｂ…垂直方向の戸枠部分、１２、１３…戸枠の切欠部、２１…第１カバー部分、２２、２６…弧状切欠部、２３、２７…短い接続部、２５…第２カバー部分、２９…打ち抜き手段、３１…環状溝。
【図１】
2008179963.tif 000003
【図２】
2008179963.tif 000004
【図３】
2008179963.tif 000005
【図４】
2008179963.tif 000006
【図５】
2008179963.tif 000007
【図６】
2008179963.tif 000008
【図７】
2008179963.tif 000009
【図８】
2008179963.tif 000010
【図９】
2008179963.tif 000011
【図１０】
2008179963.tif 000012
【図１１】
2008179963.tif 000013
【図１２】
2008179963.tif 000014